【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ホールセンサデバイスであって、
全体で４つのピンを含み、各チップが電力供給終端ピンおよび信号終端ピンを含む、２つのセンサチップと、
前記２つのセンサチップが封止されるシェルであって、前記２つのセンサチップの４つのピンが前記シェルにおいて４つの導電性端子にそれぞれ電気的に接続され、前記４つの導電性端子が２つのグループに分けられ、３つの導電性端子が第１のグループの導電性端子を形成し、残りの導電性端子が第２のグループの導電性端子を形成する、前記シェルと、
前記第１のグループの導電性端子の３つの導電性端子にそれぞれ電気的に接続される３つの出力ピンと、
少なくとも２つのクランプピンを備える取外し可能な締付け素子を有するブリッジであって、当該ブリッジは、前記第１のグループの導電性端子の１つの導電性端子に、前記第２のグループの導電性端子を電気的に接続させるのに適しており、前記第２のグループの導電性端子と、前記第１のグループの導電性端子の内の前記第２のグループの導電性端子に電気的に接続される前記１つの導電性端子とが、前記２つのセンサチップの電力供給終端ピンにそれぞれ電気的に接続されるか、または、前記２つのセンサチップの信号終端ピンにそれぞれ電気的に接続される、前記ブリッジと
を含む、ホールセンサデバイス。
【請求項２】
前記２つのセンサチップは、それぞれ指向性のある速度センサおよび指向性のない速度センサである、請求項１に記載のホールセンサデバイス。
【請求項３】
前記導電性端子が、上から下へ、それぞれ第１の導電性端子、第２の導電性端子、第３の導電性端子および第４の導電性端子であり、前記第１の導電性端子が、前記指向性の速度センサの信号終端ピンに電気的に接続され、前記第２の導電性端子が、前記指向性のない速度センサの電力供給ピンに電気的に接続され、前記第３の導電性端子が、前記指向性のない速度センサの電力供給ピンに電気的に接続され、第４の導電性端子が、前記指向性の速度センサの電力供給終端ピンに電気的に接続される、請求項２に記載のホールセンサデバイス。
【請求項４】
前記第２のグループの導電性端子が前記第４の導電性端子であり、前記ブリッジが、前記第４の導電性端子を前記第２の導電性端子に電気的に接続するのに使用される、請求項３に記載のホールセンサデバイス。
【請求項５】
前記第２のグループの導電性端子が第１の導電性端子であり、前記ブリッジが、第１の導電性端子を第３の導電性端子に電気的に接続する、請求項３に記載のホールセンサデバイス。
【請求項６】
ホールセンサデバイスはさらに、前記シェルに配置された前記４つの導電性端子に対応する４つの窓を含み、少なくとも２つのクランプピンが前記窓内にクランプされて、対応する導電性端子に電気的に接続される、請求項１に記載のホールセンサデバイス。
【請求項７】
ホールセンサデバイスはさらに、前記シェル上に配置された交換可能なインサートを含む、請求項１ないし３いずれか１つに記載のホールセンサデバイス。
【請求項８】
指向性の速度センサの信号終端ピンが、回転方向情報を含むパルス信号を出力するのに使用され、前記指向性のない速度センサの信号終端ピンが、回転方向とは無関係である回転速度の量に関する情報を含むパルス信号を出力するのに使用される、請求項１ないし３いずれか１つに記載のホールセンサデバイス。
【請求項９】
検出された対象物が正の順方向に回転する場合に、前記指向性の速度センサおよび前記指向性のない速度センサの信号終端ピンが、同一のパルス信号を出力するのに使用され、検出された対象物が負の逆方向に回転する場合に、前記指向性の速度センサおよび前記指向性のない速度センサの信号終端ピンが、異なる周波数を有するパルス信号を出力するのに使用される。請求項１に記載のホールセンサデバイス。
【請求項１０】
請求項１に記載のホールセンサデバイスを製造する方法であって、
型を使用してホールセンサデバイスのシェルを成型し、４つの導電性端子は当該シェル内に配置され、当該シェルはさらに４つの出力ピンと一体成型され、前記４つの出力ピンは、４つの導電性端子にそれぞれ電気的に接続されるように成型され、
２つのセンサチップの４つのピンを前記４つの導電性端子にそれぞれ電気的に接続し、前記２つのセンサチップを前記シェル内に封止し、
成型プロセスにおける隣接する出力ピンの間に形成された接続を取り除き、出力ピンのうちの１つを遮断し、当該遮断された出力ピンは、第２のグループの導電性端子と電気的に接続される出力ピンであり、
少なくとも２つのクランプピンを備える取外し可能な締付け素子を有するブリッジを提供し、当該ブリッジは、前記第２のグループの導電性端子を、第１のグループの導電性端子のうちの１つの導電性端子に電気的に接続するのに適しており、前記第２のグループの導電性端子と、前記第１のグループの導電性端子の内の前記第２のグループの導電性端子と電気的に接続された前記１つの導電性端子とが、前記２つのセンサチップの電力供給終端ピンにそれぞれ電気的に接続されるか、または、前記２つのセンサチップの信号終端ピンにそれぞれ電気的に接続される、方法。
【請求項１１】
ホールセンサデバイスであって、
全体で４つのピンを含み、各チップが電力供給終端ピンおよび信号終端ピンを含む、２つのセンサチップと、
前記２つのセンサチップが封止されるシェルであって、前記２つのセンサチップの４つのピンが前記シェルにおいて４つの導電性端子にそれぞれ電気的に接続され、前記４つの導電性端子が２つのグループに分けられ、３つの導電性端子が第１のグループの導電性端子を形成し、残りの導電性端子が第２のグループの導電性端子である、前記シェルと、
前記第１のグループの導電性端子の３つの導電性端子にそれぞれ電気的に接続される３つの出力ピンと、
少なくとも２つのクランプピンを備える取外し可能な締付け素子を有するブリッジであって、当該ブリッジは、前記第１のグループの導電性端子の１つの導電性端子に、前記第２のグループの導電性端子を電気的に接続させるのに適しており、前記第２のグループの導電性端子と、前記第１のグループの導電性端子の内の前記第２のグループの導電性端子に電気的に接続される前記１つの導電性端子とが、前記２つのセンサチップの電力供給終端ピンにそれぞれ電気的に接続されるか、または、前記２つのセンサチップの信号終端ピンにそれぞれ電気的に接続される、前記ブリッジとを含み、
前記２つのセンサチップはそれぞれ指向性の速度センサと指向性のない速度センサであり、前記導電性端子が、上から下へ、それぞれ第１の導電性端子、第２の導電性端子、第３の導電性端子および第４の導電性端子であり、前記第１の導電性端子が、前記指向性の速度センサの信号終端ピンに電気的に接続され、前記第２の導電性端子が、前記指向性のない速度センサの電力供給ピンに電気的に接続され、前記第３の導電性端子が、前記指向性のない速度センサの電力供給ピンに電気的に接続され、第４の導電性端子が、前記指向性の速度センサの電力供給終端ピンに電気的に接続され、
前記第２のグループの導電性端子が前記第４の導電性端子であり、前記ブリッジが、前記第４の導電性端子を前記第２の導電性端子に電気的に接続するのに使用され、
ホールセンサデバイスがさらに、前記シェルに配置された前記４つの導電性端子に対応する４つの窓を含み、前記ブリッジが２つのクランプピンを備える締付け素子であり、前記クランプピンが前記窓内にクランプされて、対応する導電性端子に電気的に接続される、ホールセンサデバイス。
【請求項１２】
ホールセンサデバイスであって、
全体で４つのピンを含み、各チップが電力供給終端ピンおよび信号終端ピンを含む、２つのセンサチップと、
前記２つのセンサチップが封止されるシェルであって、前記２つのセンサチップの４つのピンが前記シェルにおいて４つの導電性端子にそれぞれ電気的に接続され、前記４つの導電性端子が２つのグループに分けられ、３つの導電性端子が第１のグループの導電性端子を形成し、残りの導電性端子が第２のグループの導電性端子である、前記シェルと、
前記第１のグループの導電性端子の３つの導電性端子にそれぞれ電気的に接続される３つの出力ピンと、
少なくとも２つのクランプピンを備える取外し可能な締付け素子を有するブリッジであって、当該ブリッジは、前記第１のグループの導電性端子の１つの導電性端子に、前記第２のグループの導電性端子を電気的に接続させるのに適しており、前記第２のグループの導電性端子と、前記第１のグループの導電性端子の内の前記第２のグループの導電性端子に電気的に接続される前記１つの導電性端子とが、前記２つのセンサチップの電力供給終端ピンにそれぞれ電気的に接続されるか、または、前記２つのセンサチップの信号終端ピンにそれぞれ電気的に接続される、前記ブリッジとを含み、
前記２つのセンサチップはそれぞれ指向性の速度センサと指向性のない速度センサであり、前記導電性端子が、上から下へ、それぞれ第１の導電性端子、第２の導電性端子、第３の導電性端子および第４の導電性端子であり、前記第１の導電性端子が、前記指向性の速度センサの信号終端ピンに電気的に接続され、前記第２の導電性端子が、前記指向性のない速度センサの電力供給ピンに電気的に接続され、前記第３の導電性端子が、前記指向性のない速度センサの電力供給ピンに電気的に接続され、第４の導電性端子が、前記指向性の速度センサの電力供給終端ピンに電気的に接続され、
前記第２のグループの導電性端子が前記第４の導電性端子であり、前記ブリッジが、前記第４の導電性端子を前記第２の導電性端子に電気的に接続するのに使用され、
ホールセンサデバイスはさらに、前記シェル上に配置された交換可能なインサートを含む、ホールセンサデバイス。